(57)【要約】【課題】簡単かつ安価な手段にて特定原稿を不正に複写することを確実に防止する画像再生装置を提供することにある。【解決手段】色検出部から出力されたカラーコードデータと予め設定した特定原稿の下地色又は特定マークに対応するカラーコードデータと一致するか否か識別し、出力された前記カラーコードデータが、予め設定したカラーコードデータと一致する場合には、原稿が不正複写を禁止する特定原稿であると判断する。【選択図】図１０
2006121763.tif 000002
【特許請求の範囲】
【請求項１】
原稿を保持する保持手段と、前記保持手段に保持された前記原稿に光照射して前記原稿からの反射光を得る照射手段と、前記反射光から前記原稿の画像信号を得る読取手段と、前記画像信号をデジタル画像信号に変換する変換手段と、記録色を指定するカラーコードデータと記録色の濃度を決定する濃度データから構成され、記録色に関するデータを色信号として出力するための色分離テーブルと、特定原稿であるかを判断する制御部とを有し、前記色分離テーブルには、前記デジタル画像信号の特定波長成分を検出するための、特定原稿の特定マークの色に対応した特定色領域を設けると共に、特定マークに対応する前記カラーコードデータのサンプリングドット数を数える第一の計数手段と、前記特定マークの色と同じ色に対応する前記カラーコードデータの全サンプリングドット数を数える第二の計数手段とを有し、前記制御部は、得られた前記特定マークに対応する前記カラーコードデータのサンプリングドット数と前記特定マークの色と同じ色に対応する前記カラーコードデータの全サンプリングドット数とを比較し、一致する場合は前記原稿が不正複写を禁止する特定原稿であると判断することによって特定原稿の不正複写を禁止することを特徴とするデジタル画像再生装置。
【請求項２】
前記第一の計数手段は、前記特定マークに対応する前記デジタル画像信号のサンプリングドット数を数えるとき、前記特定マークの枠線部を除いて数えることを特徴とする請求項１に記載のデジタル画像再生装置。
【請求項３】
前記第一の計数手段は、前記特定マークに対応する前記デジタル画像信号のサンプリングドット数を数えるとき、前記特定マークの枠線部を含めて数えることを特徴とする請求項１に記載のデジタル画像再生装置。
【請求項４】
前記特定マークのカスレ部分を検出し、検出されたカスレ部分を補正するカスレ補正手段を有することを特徴とする請求項１に記載のデジタル画像再生装置。
【発明の詳細な説明】
【技術分野】
【０００１】
本発明は、静電写真法により画像を再生するデジタル画像再生装置に関し、特に企業等における営業秘密に係る文書が不正に複写されることを防止する機能を備えたデジタル画像再生装置に関する。
【背景技術】
【０００２】
近年、高性能のカラー画像複写装置が普及しているため、カラー画像複写装置を用いて紙幣や有価証券等の偽造が多発すると予想される。これを防止するため、カラー原稿をデジタル的に読み取って複写する際に読み取り信号を利用して原稿中の特定パターンを識別し、その識別されたパターンが紙幣等のものであると認識された場合には複写動作を中止するという提案がなされている（特許文献１参照）。かかる特定パターンを識別する認識手段は誤って認識することもある。
【０００３】
係る誤認識を防止するためにカラー原稿を色分解してデジタル的に読み取る原稿走査手段を備え、当該原稿走査手段から出力する色分解信号を濃度信号に変換し、濃度信号に基づいてカラー複写画像を形成するカラー画像複写装置であって、色分解信号を用いて原稿中に含まれる特定パターンを認識する手段と、同一原稿に対して複数回の読取り走査毎に認識手段の認識動作を繰り返し行わせ、かつ認識手段が原稿中の特定パターンを認識したときには複写動作を中止させる制御手段を具備したものを開示してある（特許文献２参照）。これは同一の複写原稿に対して複数回の読み取り及びパターン認識動作を繰り返すことにより判定の精度向上を図るものである。
【０００４】
又、原稿より画像情報を読み取る読取手段と、当該読み取られた画像情報を記録媒体上に形成する画像形成手段と、読み取りに係る原稿が複製禁止されているものであることを判定する判定手段と、当該判定に応じて、読取られた画像情報に変換処理を施すものを開示してある（特許文献３参照）。
【０００５】
ここで開示される紙幣・証券類抽出は、入力されてくるＲ，Ｇ，Ｂ信号をもとに、予め設定されている紙幣・証券類のいくつかの特徴とマッチングするか否かの判定結果をもとに紙幣又は証券類であるか否か最終判定を行い、肯定判定をした場合には特定の処理回路に対し、現像画像に忠実な画像形成を行われないように変換パラメータを設定する。マッチング判定処理としては、入力された信号Ｒ，Ｇ，Ｂにつき、原稿のカラースペクトル分布をＲＯＭ等に予め登録してあるデータと比較することによって判定を行ったり、原稿の一部或いは全体の総合的な画像パターンをＲＯＭ等に予め登録してあるパターンデータと比較して判定を行ったり、更にそれらのような処理を併用して行うようにしてもよいことを開示してある。
【０００６】
特徴抽出回路からの特徴判定結果に基づいて実行するパラメータ変換処理手順としては、マスキング・ＵＣＲ処理のパラメータによる色変換、倍率、斜体・鏡像変換、エッジ強調、細線処理、ネガ・ポジ変換、文字パターン付加を開示してある。
【０００７】
プリンタ側における偽造防止装置としてはビデオ信号を面順次で監視することにより、紙幣等と判定するとビデオ変換回路で画像を間引いたり、細線化したり、太線化、網かけ、文字をアドオンすることを開示している。
【０００８】
更に、特定原稿の表裏の特徴をよく表し、表裏を区別できるパターン、例えば紙幣或いは契約書の押印等をテンプレート情報として予め記憶し、当該テンプレート情報と加工後の出力画像とを比較して偽造の判定を行うことも提案してある（特許文献４参照）。具体的には画像読取部から送られたＲ，Ｇ，Ｂ信号をコンパレータ及びＡＮＤゲートを通じてＲＬ＜Ｒ≦ＲＨ、ＧＬ＜Ｇ≦ＧＨ、ＢＬ＜Ｂ≦ＢＨであるときに特定色であると判定する。例えば紙幣の朱印と判定する。
【０００９】
デジタル画像信号Ｒ，Ｂ，Ｇは特徴抽出回路に入力し、当該特徴抽出回路は入力画像の特定のパターンや色分布に注目して特徴抽出処理を行う。これにより画像形成に必要な駆動装置の一部又は全部の駆動を停止することを開示してある（特許文献５参照）。
【００１０】
複写材であることを容易に認識できるマーク或いは第２のマークを設け、複写機本体がその複写材のマーク或いは第２のマークを検出したときのみ複写動作を行わせるようにし、一方、前記マークが検出されないときにコピーボタンを押しても複写材が搬送されないか、或いは搬送されてもその複写材には画像が形成されないで機外に排出されると共に、その旨をランプ・ブザー等の表示手段で表示するようにしたものを開示している（特許文献６参照）。これにより紙幣偽造等の悪用複写を防止するものである。
【特許文献１】特開昭５５−１１１９７７号公報
【特許文献２】特開平１−３００２８５号公報
【特許文献３】特開平１−３１６７８３号公報
【特許文献４】特開平２−５５３７９号公報
【特許文献５】特開平２−２１０４８１号公報
【特許文献６】特開昭５２−３６７３１号公報
【発明の開示】
【発明が解決しようとする課題】
【００１１】
しかしながら、上述した偽造防止と追跡に関する出願は、基本的に特定パターンの認識等の技術を必要とするので、構成が複雑となり、コスト高となるという第１の課題がある。しかも従来の技術はデジタル機への適用を主に考慮した技術である。
【００１２】
カラー原稿を色分解してデジタル的に読み取る原稿走査手段を備え、当該原稿走査手段から出力する色分解信号を用いて原稿中に含まれる特定パターンを認識する手段を備えるものにあっては、カラーゴーストとの影響による誤認識が問題となる。ここで、簡単にカラーゴースト及びその主な発生原因について述べる。原稿像を光学的に赤、青に色分解した像をそれぞれ別に読み取って、個別の固体撮像素子（以下、ＣＣＤという。）からの信号に基づいて１画素の色を決定しているので、赤と青のＣＣＤの位置ずれがあると、黒線であるにも拘わらず赤青の偽信号を発生する。これをカラーゴーストという。カラーゴーストの発生原因としては、ＣＣＤの取り付け精度、ＣＣＤの反り、曲がり及び経時変化に起因するＣＣＤ間の画素ずれ、赤、青倍率及びＭＴＦの不一致、レンズ色収差に起因する赤、青出力レベル差である。前記原稿走査手段からの色分解信号を用いる認識技術は特定原稿の特徴をパターン化して比較するものであり、特定原稿の識別率は未だ低いという第２の課題がある。ここで、ＭＴＦ（Ｍｏｄｕｌａｔｉｏｎ  Ｔｒａｎｓｆｅｒ  Ｆｕｎｃｔｉｏｎ）について説明する。
【００１３】
画像の劣化度は元の原稿と比較すれば評価できるが定性的評価である。画像の劣化度を定量的に評価するために信号の伝達系の評価に用いられるＭＴＦを使用する。
【００１４】
ＭＴＦ（％）＝（Ｖｍａｘ−Ｖｍｉｎ）／（Ｖｍａｘ＋Ｖｍｉｎ）×１００
で示される。
【００１５】
Ｖｍａｘは例えばＣＣＤで読み取った時の現実の劣化波形における最大濃度レベルであり、Ｖｍｉｎは例えばＣＣＤで読み取った時の現実の劣化波形における最大濃度レベルである。ここではＣＣＤで読み取った際の信号劣化で説明したが、一般には画像を記録再生するまでの間にＭＴＦは劣化する。ＭＴＦの劣化要因は光学系、光学走行系、処理回路、記録系で発生するが、解像度の劣化に直接影響するものとしては光学系におけるレンズのＭＴＦ、プリズム面の精度、ＣＣＤの取付精度と光学走行系における光学ミラー等の振動、スキャン速度の変動がある。
【００１６】
ＭＴＦ特性としては次のようなことが分かっている。
【００１７】
ＭＴＦの劣化は主走査に比べて副走査方向が著しく悪い。画像の最細部における再現性を向上させるためにはＭＴＦ値として３０％以上必要である。ＭＴＦ補正の強さは、細線再現性（エッジ強調）、写真再現性（平滑化、対モアレ性）により決定しなければならない。
【００１８】
前記原稿走査手段からの色分解信号を用いる認識技術は、特定原稿を特定するための特定マークにカスレを生じる場合がある。このような場合には、特定マークの抽出が困難になるという課題もある。
【００１９】
更に、特定原稿の種類が多くなれば、特定原稿を特定するステップ及び特定原稿との一致を判定するためのステップに要する時間が多くなるので、画像再生装置全体としての性能が低下するという第３の課題がある。
【００２０】
本願発明における目的は、特定パターンの認識技術を必要とせず、簡易かつ安価な手段にて、多数の特定原稿を登録したにも拘わらず複写機能の低下を防止すると共に特定マークにカスレを生じても確実に特定原稿の複写を防止するデジタル画像再生装置を提供することにある。
【課題を解決するための手段】
【００２１】
本発明における目的を達成するデジタル画像再生装置は、原稿を保持する保持手段と、前記保持手段に保持された前記原稿に光照射して前記原稿からの反射光を得る照射手段と、前記反射光から前記原稿の画像信号を得る読取手段と、前記画像信号をデジタル画像信号に変換する変換手段と、記録色を指定するカラーコードデータと記録色の濃度を決定する濃度データから構成され、記録色に関するデータを色信号として出力するための色分離テーブルと、特定原稿であるかを判断する制御部とを有し、前記色分離テーブルには、前記デジタル画像信号の特定波長成分を検出するための、特定原稿の特定マークの色に対応した特定色領域を設けると共に、特定マークに対応する前記カラーコードデータのサンプリングドット数を数える第一の計数手段と、前記特定マークの色と同じ色に対応する前記カラーコードデータの全サンプリングドット数を数える第二の計数手段とを有し、前記制御部は、得られた前記特定マークに対応する前記カラーコードデータのサンプリングドット数と前記特定マークの色と同じ色に対応する前記カラーコードデータの全サンプリングドット数とを比較し、一致する場合は前記原稿が不正複写を禁止する特定原稿であると判断することによって特定原稿の不正複写を禁止する。
【００２２】
ここで色分離テーブルについて説明する。
【００２３】
図２は本願発明における画像再生装置に採用する色分離マップの概念図である。
【００２４】
赤系統、青系統、黒系統の色分け用の色分離マップを代表して説明する。
【００２５】
色分離マップは原稿から反射する光を約５４０ｎｍで分光して長波長域を有するシアン成分の光強度と短波長を有するレッド成分の光強度とからなる座標平面Ｖｒ実施形態に記録色である赤系統、青系統、黒系統の色と濃度レベルを対応させたものである。ここで座標平面Ｖｒ，実施形態において原点が最高濃度出あることを示している。従って、原点が遠ざかる程に低濃度であることに留意してほしい。この色分離マップは緑、紫系統の色を除いた赤系統、青系統、黒系統の３色系統に分離でき、赤系統と黒系統の境界は余裕があるが、黒系統と青系統の境界は色分離としての余裕に乏しい。後述するカラーゴーストの補正能力も考慮してマップの境界設定を行なってある。
【００２６】
図６は本願発明における目的を達成する画像再生装置に採用する色分離マップの概念図である。
【００２７】
特定原稿の下地或いは特定原稿であることを印した特定マーク等から反射する光を座標平面Ｖｒ、実施形態に投影した特定色領域を設けたものである。ここでは、赤系統の領域で斜線で囲んだ領域に投影されている。この領域を選択した理由は前述のように赤系統と黒系統の境界は余裕が有るので、カラーゴーストの補正能力を考慮してのことである。その他は図２に示した色分離マップと同様であるので詳述しない。
【００２８】
図９は本願発明における目的を達成する画像再生装置に採用する色分離マップの概念図である。
【００２９】
特定原稿の下地或いは特定原稿であることを印した特定マーク等から反射する光を座標平面Ｖｒ，実施形態に投影した第１の特定色領域の外に原稿下地から反射する光を座標平面Ｖｒ，実施形態に投影した第２の特定色領域を設けたものである。第２の特定色領域は再現色をカラーコード及び濃度データとから決定される色領域である。ここでは、第１の特定色領域と第２の特定色領域とは同一の赤系統領域にあり、これらの２つの領域において相違するのは濃度のみが異なっている。これに限定されるものでなく、異なる色系統領域に特定色領域を設けるようにしてもよい。
【発明の効果】
【００３０】
本願発明は、上記の構成により、特定パターンの認識技術を必要とせず、簡易かつ安価な手段にて、多数の特定原稿を登録したにも拘わらず複写機能の低下を防止できると共に特定マークにカスレを生じても確実に特定原稿の複写を防止するデジタル画像再生装置を提供することができた。
【発明を実施するための最良の形態】
【００３１】
本願発明における画像再生装置の一実施形態について、デジタル方式を採用する画像再生装置により説明する。
【００３２】
図１０は所謂ＫＮＣプロセスを採用するデジタル方式を採用する画像再生装置の概略構成を示す断面図である。
【００３３】
画像再生装置２００は、図１０に示すようにプラテンガラスからなる原稿台２０１（以下、本実施形態においてはプラテンガラスＰＧということもある。）上に載置した原稿ＯＧを下方から白色光を照する光源２０２と、光源２０２を載置して移動する移動部材Ｍ１に設けられて原稿ＯＧからの光を反射する第１ミラー２０３と、第１ミラー２０３からの光を反射する第２ミラー２０４及び第３ミラー２０５を一対に設けたＶミラー部Ｍ２２と、当該Ｖミラー部Ｍ２２からの光を例えばダイクロックミラーである分光手段（図１に示すＤＭである。）を介してレッド用のラインセンサＬＳ１及びシアン用のラインセンサＬＳ２上に結像する結像レンズ２０６とからなる画像読取部ＡＡと画像読取部ＡＡからのデジタル画像信号を記録色に対応した色信号に変換する画像処理部ＢＢと記録信号に基づいて半導体レーザを発光してドット毎に像形成体２２０上をライン走査する書込部ＣＣとから構成されることにより像形成体２２０に原稿潜像を形成するデジタル方式を採用し、スコロトロン帯電器２２１と、現像器２２２Ｙ，２２２Ｍ，２２２Ｃ，２２２ＢＫ、転写器２２３、分離器２２４、クリーニング装置２２５とで像形成体２２０上で静電写真プロセスを実行する像形成プロセス部ＤＤと、記録紙Ｐを転写・分離部に給送する給紙系ＥＥとからなり、静電写真プロセスを実行することにより記録紙Ｐ上に原稿画像をカラー再生するものである。本願明細書においては、デジタル方式を採用する画像再生装置はすべてこの構成を用いて説明するので、以下における実施形態を説明する際に前述の記載を参照する。
【００３４】
本実施形態において画像再生装置２００は更に原稿ＯＧの例えば下地から反射する光の波長成分を検出する色分離テーブルからの出力信号により特定原稿との一致を識別する機能を備えたことを特徴とする。以下にその具体的構成を説明する。
【００３５】
図１は本願発明におけるデジタル画像再生装置の要部構成を示すブロック図である。
【００３６】
図１において、原稿ＯＧはプラテンガラスＰＧ上に載置したものである。原稿ＯＧから反射する光は図１０に示す読取光学系ＡＡを構成するダイクロックミラーＤＭでレッドの色分解像とシアンの色分解像に分光されてそれぞれのラインセンサＬＳ１，ＬＳ２に結像される。ここでダイクロックミラーＤＭのカットオフ波長は５４０ｎｍ程度のものが使用されている。これによって、レッド成分は透過光となり、シアン成分は反射光となる。ラインセンサＬＳ１，ＬＳ２は受光した光強度に応じた電流ＩＲ，ＩＣを出力する。このラインセンサＬＳ１，ＬＳ２までが画像読取部ＡＡを構成する。これらの電流ＩＲ，ＩＣはそれぞれＡ／Ｄ変換器ＡＤ１，ＡＤ２でシェーディング補正と同時にＡ／Ｄ変換されて６ビットからなるデジタル画像信号Ｖｒ，実施形態に変換されて色分離テーブル２３１に送出される。デジタル画像信号Ｖｒは原稿像のレッド成分の濃度レベルを示す信号であり、デジタル画像信号実施形態は原稿像のシアン成分の濃度レベルを示す信号である。
【００３７】
色分離テーブル２３１は、高速のＲＯＭを使用しており図２に示す色分離マップに示すような予め決められたデータが書き込まれている。具体的にはレッド成分の濃度レベルを示す６ビットからなるデジタル画像信号Ｖｒ及びシアン成分の濃度レベルを示す６ビットからなるデジタル画像信号Ｖｃに対応する記録色に関する８ビットからなるデータを色分離テーブルとして書き込んである。ここで色分離テーブル２３１を構成する記録色に関するデータは、例えば現像剤の色を指定する２ビットからなるカラーコードデータと記録色の濃度を決定する６ビットからなる濃度データである。従って、色分離テーブル２３１は記録色に関するデータを色信号として出力することになる。
【００３８】
カラーコードは仕様によって決まる。例えば表１に示すものである。
【００３９】
【表１】
2006121763.tif 000003
【００４０】
濃度データ＝（Ｖｒ＋Ｖｃ）／２    である。
【００４１】
濃度データはシアン成分の濃度レベルとレッド成分の濃度レベルとの平均したレベルである。本実施形態ではこの濃度データを利用していないので、ここではあまり重要でない。
【００４２】
色分離テーブル２３１は、前述の構成を備えることによりデジタル画像信号Ｖｒ，Ｖｃに対応する記録色に対応するカラーコードデータ及び濃度データからなる８ビットの色信号を出力することができる。
【００４３】
本実施形態においては、Ａ／Ｄ変換器ＡＤ１，ＡＤ２及び色分離テーブル２３１で画像処理部ＢＢを構成している。ここで色分離テーブル２３１は色検出部に相当するものである。
【００４４】
制御部２３０は色信号を構成するカラーコードデータと予め設定した特定原稿の下地色に対応するカラーコードデータと一致するか否かを識別する。なお、具体的には色分離テーブル２３１はプレスキャン専用に使用するものであり、本実施形態においては、別個に像形成プロセス専用の色分離テーブルを設けてあり、ここでは詳述しない。
【００４５】
制御部２３０は更に操作パネル１０からの入力により画像読取部ＡＡと画像処理部ＢＢと書込部ＣＣと像形成プロセス部ＤＤ及び給紙系ＥＥを制御して画像形成プロセスを実行するものである。なお、制御部２３０はプレスキャンにより赤、青、黒のカラーコードをカウントし原稿色を判定するＡＣＳ処理、原稿濃度にあった適切な濃度のコピーを自動的に行うために原稿の濃度ヒストグラムの形状により適切な濃度補正パターン所謂ガンマテーブルを選択するＥＥ処理、プラテンカバーの黄帯の本数をカウントすることにより、原稿サイズを検知するＡＰＳ処理を実行している。これらの処理の詳細については本願発明と関係ないので省略する。
【００４６】
ここで、画像読取部ＡＡのプレスキャンにおける動作及び標準的な原稿における濃度分布について簡単に説明する図３は画像読取部ＡＡのプレスキャンにおける走査範囲を示す模式図である。
【００４７】
判別処理のためのサンプリング範囲は図３に示す斜線の主走査方向１００ｍｍ，副走査方向１６２ｍｍの範囲であり、例えば、主走査方向１ｍｍ、副走査方向０．２５ｍｍ毎にデータをサンプリングするので、約６４８００ポイントのサンプリングデータが得られることになる。
【００４８】
図４はプレスキャンにより得られる代表的な濃度レベルの度数分布を示すグラフである。
【００４９】
図において、最大度数Ｐｍａｘを示す濃度は一般に原稿の下地濃度レベルであり、中間度数１／２Ｐｍａｘを越える次のピーク度数を示す濃度レベルが文字等の濃度レベルである。
【００５０】
以下に本実施形態の画像再生装置２００におけるプレスキャンの処理動作を図１から図４及び図１０を用いて説明する。
【００５１】
オペレータはプラテンカバーを開閉してプラテンガラスＰＧ上に原稿ＯＧを載置する。次に操作パネル２１０から複写枚数を設定してコピースイッチを押圧すると、図１０に示すように制御部２３０は光源２０２を点灯して原稿ＯＧに白色光を短冊状に照射しながら所定の速度で移動する。制御部３０はＶミラー部Ｍ２を光源２の移動速度の１／２の速度で同方向に移動させる。これにより原稿ＯＧは読み取り走査されることにより、原稿ＯＧから反射する光は第１ミラー３，第２ミラー４、第３ミラー５を介してダイクロックミラーＤＭによりレッド成分とシアン成分に分光して結像レンズ２０６によりレッド用ラインセンサＬＳ１及びシアン用ラインセンサＬＳ２上に結像する。この画像読取部ＡＡによる走査は画像形成プロセス前に行われる所謂プレスキャンである。プレスキャンによりレッド用ラインセンサＬＳ１及びシアン用ラインセンサＬＳ２から出力される電流ＩＲ，ＩＣはそれぞれＡ／Ｄ変換器ＡＤ１，ＡＤ２でシェーディング補正と同時にＡ／Ｄ変換されて６ビットからなるデジタル画像信号Ｖｒ，Ｖｃに変換されて色分離テーブル２３１に送出される。色分離テーブル２３１はデジタル画像信号に対応する８ビットからなる色信号を制御部２３０に送出する。
【００５２】
制御部２３０は色信号を構成する２ビットのカラーコードデータと予め設定した特定原稿の下地色に対応するデータと一致するか否かを比較するより、プラテンガラスＰＧ上に載置してある原稿ＯＧが特定原稿であるかを識別する。これにより制御部２３０は操作パネルにあるディスプレイに『マル秘文書』或いは『不正複写』或いは『企業秘密』或いは『営業秘密』と表示し、画像形成プロセスを実行しない。このようにして本実施形態の画像再生装置は特定原稿を色の有無にて判断するため、複雑なパターン認識等の回路を用いずに不正複写を防止することができる。又、原稿下地色を検出しているので、特定原稿の識別力を略１００％にすることができる。
【００５３】
又、光源２０２は電源投入から所定時間例えば１秒だけ経過しなければ、出力が安定しない。この光源２０２の出力が安定しない間は発光エネルギーが弱いことと発光光の波長が特定域例えば赤に対応する波長域に片寄っている。この時間における光源２０２で原稿ＯＧを走査すれば、赤と白に対応する領域からの反射光は赤に対応する波長光である。特定原稿の下地色が赤系統の色彩であれば検出可能であるので、この時間にプレスキャンを実行することにより、画像再生装置の性能、例えば１分当たりコピー枚数を増やすことができる。
【００５４】
本願発明における画像再生装置の一実施形態について説明する。
【００５５】
本願発明における画像再生装置はデジタル方式を採用する装置に適用するものであり、所謂ＫＮＣプロセスを採用するデジタル方式を採用する画像再生装置２００は図１０を用いて既に説明してあり、画像読取部ＡＡのプレスキャンにおける動作及び標準的な原稿における濃度分布について簡単に説明してあるので、ここでは省略する。
【００５６】
図５は本願発明における画像再生装置の一実施形態の要部構成を示すブロック図である。
【００５７】
画像読取部ＡＡは図１及び図１０を用いて説明してあるので、詳述は省略する。原稿ＯＧはプラテンガラスＰＧ上に載置したものであり、ダイクロックミラーＤＭはカットオフ波長５４０ｎｍ程度であり、これによりレッド成分を透過し、シアンを反射する。ラインセンサＬＳ１，ＬＳ２は受光した光り強度に応じて画素単位で電流ＩＲ，ＩＣを出力する。
【００５８】
本実施形態において画像処理部ＢＢは新たな構成としてカラーゴースト検出手段２３４と設定手段２３２を備え、カラーゴースト検出手段２３４を色分離テーブル２３１Ａ及び制御部２３０に接続するために分配手段Ｓを設けた。
【００５９】
色分離テーブル２３１Ａは、高速のＲＯＭを使用しており図６に示す色分離マップに示すような予め決められたデータが書き込まれており、具体的にはレッド成分の濃度レベルを示す６ビットからなるデジタル画像信号Ｖｒ及びシアン成分の濃度レベルを示す６ビットからなるデジタル画像信号Ｖｃに対応する記録色に関する８ビットからなる色信号データを色分離テーブルとして書き込んである。ここで色分離テーブルを構成する記録色に関する色信号データは、例えば現像剤の色を指定する２ビットからなるカラーコードデータに特定色を示す１ビットの特定色コードデータと記録色の濃度を決定する５ビットからなる濃度データである。従って、色分離テーブル２３１は記録色に関するデータを色信号として出力することになる。ここで、色信号はデジタル画像信号Ｖｒ，Ｖｃに比して濃度信号の階調レベルを低減する結果になっているが、これは経験上低濃度レベルの色は少なかったので、低濃度レベルの濃度領域をカットするようにしたものである。
【００６０】
なお、具体的には色分離テーブル２３１Ａはプレスキャン専用に使用するものであり、本実施形態においては、別個に像形成プロセス専用の色分離テーブルを設けてあり、ここでは詳述しない。
【００６１】
特定色コードデータとは、特定原稿の下地色又は特定原稿に印してある特定マークに施した色が反射する光の波長成分であることを示すコードデータであり、本実施形態ではカラーコードデータのうちのＬＭＢに相当するビットである。
【００６２】
カラーコードは仕様によって決まる。例えば表２に示すものである。
【００６３】
【表２】
2006121763.tif 000004
【００６４】
図６に示す色分離マップによれば、特定色領域は赤系統の領域に設けてあるので、カラーコード”１１０”がある、これに限定されるものではなく、図６に示す色分離マップ中のどの領域にでも特定領域を設定でき、更に複数の領域を後で述べる設定手段２３２により設定できる。
【００６５】
濃度データ＝（Ｖｒ＋Ｖｃ）／２    である。
【００６６】
濃度データはシアン成分の濃度レベルとレッド成分の濃度レベルとの平均したレベルである。
【００６７】
色分離テーブル２３１Ａは、前述の構成を備えることによりデジタル画像信号Ｖｒ，Ｖｃに対応する記録色に対応するカラーコードデータ及び濃度データからなる８ビットの色信号を出力することができる。
【００６８】
設定手段２３２は、図６に示す色分離マップにおける特定色領域を変更又は追加を色分離テーブル２３１Ａに設定するものであり、具体的にはＲＯＭに書き込まれたカラーコードデータ中のＬＭＢを例えば操作パネルに設けたテンキーにより書き換えることによって特定色領域の変更又は追加を設定することができる。
【００６９】
又、この設定処理は、管理キーとＩＤカードと暗証番号のうち少なくとも１つを用いなければ、行えないようにしてもよい。ここで、管理キーとは画像再生装置２００に固有の調整条件を設定することを許可するキーであり、ＩＤカード又は暗証番号とは画像再生装置を操作する個人又は職場を識別するものであり、個人又は職場により画像再生装置２００の設定条件を変更できる範囲を制限するように用いる。特定色領域の追加・変更処理を管理キー等と併用することにより特定原稿が不正に複写されることを防止することができる。
【００７０】
更に、特定原稿の下地色を示す特定色領域は、画像読取部ＡＡによりプラテンガラスＰＧ上にある原稿ＯＧを読み取り走査することにより設定するようにしてもよい。この特定色領域の設定では、実際の走査で読みとられる色領域は、一枚の特定原稿の下地色を読むことで得られる数値であり、色分離マップの一点を示す事になるので、特定原稿の下地色に多少のばらつきが生じても許容されないことになる。よって、より現実的な特定色領域の設定には、領域に多少の許容範囲を持たせることが必要となる。そこで、本実施形態では読みとられた特定原稿の下地色から、経験値により予め設定された許容範囲を持って、特定色領域を設定することを特徴とする。
【００７１】
分配手段Ｓは色分離テーブル２３１Ａから送出される８ビットからなる色信号をカラーゴースト検出手段２３４及び制御部２３０に分配する。
【００７２】
カラーゴースト検出手段２３４は、黒い画像のエッジ部に出る細い色及び色の切り替わる部分にある細い他の色をゴーストとして検出するものであり、例えば着目画素を含めた７画素により、予め記憶してあるカラーパターンと一致した場合に着目画素をゴーストとするカラーパターン法を採用して検出するものであり、具体的には、着目画素と周辺画素とを含めた７画素分に相当するカラーコードデータの列であるカラーパターンと着目画素がカラーゴーストであるか否かを示すコードデータであるゴーストデータとからなるカラーゴーストテーブルを高速ＲＯＭ上に書き込んだものであり、色分離テーブル２３１Ａから送出されるカラーコード信号を７画素単位でカラーパターンと比較処理して制御部２３０にゴーストデータを送出するものである。
【００７３】
ここで、表３に通常の読取りモードにおけるカラーゴーストテーブルの一例を示す。
【００７４】
【表３】
2006121763.tif 000005
【００７５】
表３において、番号は高速ＲＯＭに書き込まれるカラーゴーストテーブル中の配列順序を示すものであり、訂正する際に主に利用するものである。カラーパターンは着目画素とその周辺の６画素と比較するカラーコード信号列を示すものであり、これと対にしてゴーストコードデータが付加してある。例えば、カラーゴースト検出手段２３４は、分配手段Ｓから送出される７画素に相当するカラーコード信号列が番号１及び番号３に示すカラーパターンと一致したことを検出すれば、黒い画像のエッジ部にカラーゴーストが発生したことを示すゴーストデータ『１１』を送出することになる。
【００７６】
一方、カラーゴースト検出手段２３４は、分配手段Ｓから送出される７画素に相当するカラーコード信号列が番号２及び番号４に示すカラーパターンと一致したことを検出すれば、カラーゴーストが無いことを示すゴーストデータ『００』を送出することになる。
【００７７】
制御部２３０は、予備走査で得られるサンプリングデータのうち図６に示す色分離マップにおける黒色領域以外のデジタル画像データからカラーゴーストに相当する度数を超える色情報を有効データとしてプラテンガラスＰＧ上に載置した原稿ＯＧと特定原稿との一致を識別する判別処理を実行するものであり、具体的には図４に示すようなカラーコード毎に濃度分布を示すヒストグラムを作成するために濃度コードをカウントする濃度コードカウンタＮＣ及びカラーゴーストの度数をカウントするゴーストカウンタＧＣを備えることにより、各カラーコード毎に濃度分布を示すヒストグラムを作成し、カラーコード『０００』以外の色領域のヒストグラムからカラーゴーストに相当する度数を差し引いた後のヒストグラムから特定原稿の有無にてプラテンガラスＰＧ上に載置した原稿ＯＧと特定原稿との一致を識別する判別処理を実行するものである。
【００７８】
なお、制御部２３０は、プリスキャンにより赤、青、黒のカラーコードをカウントし原稿色を判定するＡＣＳ処理、原稿濃度にあった適切な濃度のコピーを自動的に行うために原稿の濃度ヒストグラムの形状により適切な濃度補正パターン所謂ガンマテーブルを選択するＥＥ処理、プラテンカバーの黄帯の本数をカウントすることにより、原稿サイズを検知するＡＰＳ処理を実行している。これらの処理の詳細については本願発明と関係ないので省略する。
【００７９】
以下に本実施形態の画像再生装置２００のプレスキャンにおける処理動作を図１０と図５及び図６を用いて説明する。
【００８０】
オペレータはプラテンカバーを開閉してプラテンガラスＰＧ上に原稿を載置する。次に操作パネル２１０から複写枚数を設定してコピースイッチを押圧すると、図１０に示すように制御部２３０は光源２０２を点灯して原稿ＯＧに白色光を短冊状に照射しながら所定の速度で移動する。制御部３０はＶミラー部Ｍ２を光源２の移動速度の１／２の速度で同方向に移動させる。これにより原稿ＯＧは読み取り走査されることにより、原稿から反射する光は第１ミラー３，第２ミラー４、第３ミラー５を介してダイクロックミラーＤＭによりレッド成分とシアン成分に分光して結像レンズ２０６によりレッド用ラインセンサＬＳ１及びシアン用ラインセンサＬＳ２上に結像する。この画像読取部ＡＡによる走査は画像形成プロセス前に行われる所謂プレスキャンである。
【００８１】
判別処理のためのサンプリング範囲は図３に示す斜線の主走査方向１００ｍｍ，副走査方向１６２ｍｍの範囲であり、例えば、主走査方向１ｍｍ、副走査方向０．２５ｍｍ毎にデータをサンプリングするので、約６４８００ポイントのサンプリングデータが得られることになる。
【００８２】
プレスキャンによりレッド用ラインセンサＬＳ１及びシアン用ラインセンサＬＳ２から出力される電流ＩＲ，ＩＣはそれぞれＡ／Ｄ変換器ＡＤ１，ＡＤ２でシェーディング補正と同時にＡ／Ｄ変換されて６ビットからなるデジタル画像信号Ｖｒ，Ｖｃに変換されて色分離テーブル２３１Ａに送出される。色分離テーブル２３１Ａはデジタル画像信号に対応する８ビットからなる色信号を分配手段Ｓに送出する。分配手段Ｓはカラーコードのみをカラーゴースト検出手段２３４に送出すると共にこれに同期して制御部２３０に８ビットからなる色信号を送出する。
【００８３】
カラーゴースト検出手段２３４は、分配手段Ｓから送出される７画素に相当するカラーコード信号列が例えば表３に示す番号１及び番号３に示すカラーパターンと一致したことを検出すれば、黒い画像のエッジ部にカラーゴーストが発生したことを示すゴーストデータ『１１』を制御部２３０に送出することになる。
【００８４】
一方、カラーゴースト検出手段２３４は、分配手段Ｓから送出される７画素に相当するカラーコード信号列が例えば表３に示す番号２及び番号４に示すカラーパターンと一致したことを検出すれば、カラーゴーストが無いことを示すゴーストデータ『００』を制御部２３０に送出することになる。
【００８５】
制御部２３０は、カラーコード毎に同一の値である濃度コードのサンプリングドット数を濃度コードカウンタＮＣでカウントして濃度レベルによる例えば図４に示す度数分布であるヒストグラムデータを作成する。一方、制御部２３０は図６に示す色分離マップにおける黒領域以外で発生するゴーストデータをゴーストカウンタＧＣでカウントする。制御部２３０はヒストグラムデータ中からカラーゴーストに相当するサンプリングドット数を差し引いた後のヒストグラムデータと予め設定してある度数データと比較することにより、プラテンガラスＰＧ上に載置した原稿ＯＧと特定原稿との一致を識別する。これにより、ＣＣＤの取り付け精度、ＣＣＤの反り、曲がり及び経時変化に起因するＣＣＤ間の画素ずれ、赤、青倍率及びＭＴＦの不一致、レンズ色収差に起因する赤、青出力レベル差に起因するカラーゴーストに影響されることなく、確実に特定原稿を識別することができると共に、従来の複雑なパターン比較を行うことなく特定原稿の識別力を向上させた画像再生装置を提供することができた。
【００８６】
本願発明における目的を達成する画像再生装置の一実施形態について説明する。
【００８７】
図７は発明における目的を達成する画像再生装置における一実施形態の画像処理部の概略構成を示すブロック図である。図８は信号抽出回路の概略構成を示すブロック図である。
【００８８】
本実施形態の画像再生装置２００は、図７に示すように原稿台２０１上に載置した原稿ＯＧを色分解してデジタル的に読み取る画像読取部ＡＡから送出されるデジタル信号により記録色に色分離してカラー画像を再生するものであり、特定原稿に印された特定マークの色と対応する色領域を示す特定色領域データと、特定原稿に印された特定マークを構成するサンプリングデータ数を示す特定マーク度数データを記憶する第１カウンタＣＮＴ１と、サンプリングされるデジタル画像データのうちの特定色領域内にあるデジタル画像データの総度数をカウントする第２カウンタＣＮＴ２と、第２カウンタＣＮＴ２からのカウント値と特定度数データとを比較する比較手段ＣＭＰとを備えることにより、特定マークを図９に示す色分離マップにおける色領域及び特定マークを構成するドッド数から特定するものであり、第２カウンタＣＮＴ２は特定マークのうち外枠を除いてサンプリングドット数を計数してもよいし、又、特定マークを構成する外枠を含めてサンプリングドット数を計数するようにしたものである。特定マークを構成する外枠にカスレがある否かを検出するカスレ検出手段２３６からの出力信号により主走査又は副走査の少なくとも一方を補正する切れ補正手段２３７を備えることにより画像再生装置の光学精度等及びオペレータに押印ミス等による特定マークの認識率が低下するのを防止する。
【００８９】
画像読取部ＡＡは図１及び図１０を用いて説明してあるので、詳述は省略する。原稿ＯＧはプラテンガラスＰＧ上に載置したものであり、ダイクロックミラーＤＭはカットオフ波長５４０ｎｍ程度であり、これによりレッド成分を透過し、シアンを反射する。ラインセンサＬＳ１，ＬＳ２は受光した光り強度に応じて画素単位で電流ＩＲ，ＩＣを出力する。
【００９０】
画像処理部ＢＢは前述した様に新たな構成としてカスレ補正手段２３６と切れ補正手段２３７と領域検出手段２３８を備え、カスレ補正手段２３６をＭＴＦ補正手段２３３を介して信号抽出回路２３９に接続してある。
【００９１】
色分離テーブル２３１Ａは、いずれも高速のＲＯＭを使用しており図６に示す色分離マップに示すような予め決められたデータが書き込まれており、具体的にはレッド成分の濃度レベルを示す６ビットからなるデジタル画像信号Ｖｒ及びシアン成分の濃度レベルを示す６ビットからなるデジタル画像信号Ｖｃに対応する記録色に関する８ビットからなる色信号データを色分離テーブルとして書き込んである。ここで色分離テーブル２３１Ａを構成する記録色に関する色信号データは、例えば現像剤の色を指定する２ビットからなるカラーコードデータに特定色を示す１ビットの特定コードデータと記録色の濃度を決定する５ビットからなる濃度データである。従って、色分離テーブル２３１Ａは記録色に関するデータを色信号として出力することになる。
【００９２】
なお、具体的には色分離テーブル２３１Ａはプレスキャン専用に使用するものであり、本実施形態においては、別個に像形成プロセス専用の色分離テーブルを設けてあり、ここでは詳述しない。
【００９３】
特定コードデータとは、特定原稿の下地色又は特定原稿に印してある特定マークに施した色が反射する光の波長成分であることを示すコードデータであり、特定マークとは文字又は記号等及び外枠とからなるものであり、特定マークは色分離マップで赤あるいは青と判別されるものであれば良い。本実施形態ではカラーコードデータのうちのＬＭＢに相当するビットである。
【００９４】
カラーコードは仕様によって決まる。例えば表４に示すものである。
【００９５】
【表４】
2006121763.tif 000006
【００９６】
図６に示す色分離マップによれば、特定色領域は赤系統の領域に設けてあるので、カラーコード”１１０”がある、これに限定されるものではなく、図６に示す色分離マップ中のどの領域にでも特定領域を設定でき、更に複数の領域を前述した図５に示す設定手段２３２により設定できる。
【００９７】
濃度データ＝（Ｖｒ＋Ｖｃ）／２    である。
【００９８】
濃度データはシアン成分の濃度レベルとレッド成分の濃度レベルとの平均したレベルである。
【００９９】
色分離テーブル２３１Ａは、前述の構成を備えることによりデジタル画像信号Ｖｒ，Ｖｃに対応する記録色に対応するカラーコードデータ及び濃度データからなる８ビットの色信号を出力することができる。
【０１００】
カスレ補正手段２３６は高速なＲＯＭにカスレ補正用のカラーコードデータを書き込んであり（以下、これを単にカスレ補正ＲＯＭということもある。）、色分離テーブル２３１Ａから送出される７画素分に相当するカラーコードデータ列におけるＬＭＢによって注目画素に関連する色領域を決定し、残りの６画素分に相当するカラーコードデータ列からＲＯＭの記憶領域におけるアドレスを決め、当該アドレスに格納されたカラーコードデータに修正する。具体的には、カスレ補正手段２３６は、枠線色に挟まれた白が３画素以内のときに白を枠線色に補正するものであり、表８から表１０に示す１ドット用から３ドット用のカスレ補正パターンを主走査、副走査共に一致したときに白を枠線色に補正して色信号を切れ補正手段２３７及びＭＴＦ補正手段２３３に送出する。カラーゴースト補正と共用して補正パターンを切り換えて使用してもよい。カラーゴースト補正については上述してあるのでここでは省略する。
【０１０１】
ここで、カスレ補正ＲＯＭにおけるアドレスとデータとの関係について表５〜表７を用いて説明する。
【０１０２】
【表５】
2006121763.tif 000007
【０１０３】
【表６】
2006121763.tif 000008
【０１０４】
本実施形態においては、単一のＲＯＭに全色領域に対応するルックアップテーブルを書き込むことも可能であるが、後の修正における便宜を考慮して各色毎に独立のメモリ領域、例えば個別のＲＯＭに書き込んである。ここでは、データＳ７は色領域又は色領域に対応したＲＯＭを指示するデータである。例えば白／青は白領域もしくは白領域を書き込んだＲＯＭ又は青領域又は青領域を書き込んだＲＯＭのいずれを指示してよいことを示してある。
【０１０５】
表５及び表６において、ルックアップテーブルのデータ構造はＲＯＭの記憶領域におけるアドレスデータと対応するカラーコードデータ列Ｓ１〜Ｓ６と注目画素のカラーコードを修正すべきカラーコードデータ等からなる。例えば、補正のドット数１に対応するテーブルにおいてデータＳ４は注目画素に対応するカラーコードデータである。データＳ１〜Ｓ３，Ｓ５，Ｓ６は周辺画素に対応するカラーコードデータである。
【０１０６】
補正のドット数とはカラーコードを修正すべき対象となるドット数を示すものである。
【０１０７】
【表７】
2006121763.tif 000009
【０１０８】
表７は表５及び表６とほぼ同様なものを示してあるが、バグ補正用の補正パターンを示したものである。
【０１０９】
【表８】
2006121763.tif 000010
【０１１０】
【表９】
2006121763.tif 000011
【０１１１】
【表１０】
2006121763.tif 000012
【０１１２】
切れ補正手段２３７は、枠線と文字が交差するときを識別して補正処理するものであり、枠線の幅が５ドット以上であるとき、具体的には表１１に示すいずれか同一の切れ補正パターンを主走査、副走査共に一致したときに枠線に接している線、文字を主走査方向、副走査方向に０．５ｍｍまで補正するものである。
【０１１３】
【表１１】
2006121763.tif 000013
【０１１４】
表１１は主走査方向又は副走査方向におけるドット列を示したものであり、ドットの大きさは８ドットで原稿上の０．５ｍｍに相当する。ｘはカラーコードデータが無いこと若しくはダミーデータを示している。ここで１〜１５は切れ補正パターンの識別番号であり、識別番号９〜１３は補正できない枠線の太さに相当したカラーコードに対応している。補正できる範囲は識別番号１〜８である。
【０１１５】
領域検出手段２３８は、枠線色の検知部分を『１』、その他の部分を『０』として読み込んで現ラインにおける領域区間を決定し、全ラインにおける領域区間に対して共通部分を持つ読み込み情報の最初の立ち上がりから最後の立ち下がりまでに対応する領域区間を『１』その他の区間を『０』とし、領域信号と読み込み情報との変換領域信号として信号抽出回路２３９に送出する。これらの処理動作を１ライン毎にリアルタイムに繰り返す。
【０１１６】
信号抽出回路２３９は、図８に示すように枠線内外検出回路２３９Ａ，モードコントロール２３９Ｂ，濃度データ検出回路２３９Ｃから構成され、色領域信号及び処理モード信号に指定された画素の濃度データを抽出するものである。
【０１１７】
枠線内外検出回路２３９Ａは、領域検出手段２３８から送出される領域信号ＲＱＮ，ＢＱＮにより、あるドットが枠線の内外のいずれにあるかを検出するものであり、例えばＭＴＦ補正手段２３３から送出される画像信号が特定マークを構成する枠線の内外のいずれにあるかを指示する信号である。
【０１１８】
モードコントロール２３９Ｂは操作パネル２１０から指示され、例えば、マーカーモード、反転モード、通常モード等を指定するモード信号及び枠線内外検出回路２３９Ａから送出される出力信号により枠線の内外いずれかから画素を抽出するかを指定する画素選択信号ＤＳＳを送出するものである。
【０１１９】
濃度データ検出回路２３９Ｃは、画像選択信号ＤＳＳに基づいて選択された画素の濃度信号及びカラーコード信号を制御部２３０に送出するものであり、例えばＭＴＦ補正手段２３３から送出される画像信号のうちカラーコードをモードコントロール２３９Ｂ及び制御部２３０に出力し、濃度信号についてはバッファ２３９ＣＡ，２３９ＣＢを介して選択回路２３９ＣＣに入力する。選択回路２３９ＣＣは画素選択信号ＤＳＳにより選択的に濃度データを制御部２３０に送出することになる。
【０１２０】
ＭＴＦ補正手段２３３は、本実施形態においてはハードウエアでのリアルタイム処理を考えて大きさ３×３のコンボリュージョン・フィルタを用いて行う。コンボリュージョンとは画像データとデジタル・マトリックス状のコンボリュージョン・フィルタと相互相関を行い、マトリックス内の数値配列に等しい成分を画像データから抽出するための処理である。３×３のコンボリュージョン・フィルタの具体例を表１２及び表１３を用いて説明する。
【０１２１】
【表１２】
2006121763.tif 000014
【０１２２】
表１２は文字型原稿用のコンボリュージョン・フィルタの一例を示すものである。
【０１２３】
【表１３】
2006121763.tif 000015
【０１２４】
表１３は写真型原稿用のコンボリュージョン・フィルタの一例を示すものである。
【０１２５】
制御部２３０は、特定原稿に印された特定マークの色と対応する色領域を示す特定色領域データと、特定原稿に印された特定マークを構成するサンプリングデータ数を示す特定マーク度数データを記憶する第１カウンタＣＮＴ１と、サンプリングされるデジタル画像データのうちの特定色領域内にあるデジタル画像データの総度数をカウントする第２カウンタＣＮＴ２と、第２カウンタＣＮＴ２からのカウント値と特定度数データとを比較する比較手段ＣＭＰとを備えることにより、特定マークを図６に示す色分離マップにおける色領域及び特定マークを構成するドッド数から特定するものであり、第２カウンタＣＮＴ２は特定マークのうち外枠を除いてサンプリングドット数を計数してもよいし、又、特定マークを構成する外枠を含めてサンプリングドット数を計数するようにしてもよい。ここで、特定色データとは色領域を示すカラーコード及び濃度データからなり、図６に示す色分離マップにおける色領域を濃度と色領域から特定するデータである。
【０１２６】
以下に本実施形態の画像再生装置２００のプレスキャンにおける処理動作を図３、図６から図８及び図１０を用いて説明する。
【０１２７】
オペレータはプラテンカバーＰＫを開閉してプラテンガラスＰＧ上に原稿ＯＧを載置する。次に操作パネル２１０から複写枚数を設定してコピースイッチを押圧すると、図１０に示すように制御部２３０は光源２０２を点灯して原稿ＯＧに白色光を短冊状に照射しながら所定の速度で移動する。制御部３０はＶミラー部Ｍ２を光源２の移動速度の１／２の速度で同方向に移動させる。これにより原稿ＯＧは読み取り走査されることにより、原稿ＯＧから反射する光は第１ミラー３，第２ミラー４、第３ミラー５を介してダイクロックミラーＤＭによりレッド成分とシアン成分に分光して結像レンズ２０６によりレッド用ラインセンサＬＳ１及びシアン用ラインセンサＬＳ２上に結像する。この画像読取部ＡＡによる走査は画像形成プロセス前に行われる所謂プレスキャンである。
【０１２８】
なお、判別処理のためのサンプリング範囲は図３に示す斜線の主走査方向１００ｍｍ，副走査方向１６２ｍｍの範囲であり、例えば、主走査方向１ｍｍ、副走査方向０．２５ｍｍ毎にデータをサンプリングするので、約６４８００ポイントのサンプリングデータが得られることになる。本実施形態においてもプレスキャンによる動作処理としてＥＥ処理及びＡＰＳ処理を実行しているが、ここでは詳述しない。
【０１２９】
プレスキャンによりレッド用ラインセンサＬＳ１及びシアン用ラインセンサＬＳ２から出力される電流ＩＲ，ＩＣはそれぞれＡ／Ｄ変換器ＡＤ１，ＡＤ２でシェーディング補正と同時にＡ／Ｄ変換されて６ビットからなるデジタル画像信号Ｖｒ，Ｖｃに変換されて色分離テーブル２３１Ａに送出される。色分離テーブル２３１Ａはデジタル画像信号に対応する８ビットからなる色信号をカスレ補正手段２３６に送出する。
【０１３０】
カスレ補正手段２３６は色分離テーブル２３１Ａから送出される７画素分に相当するカラーコードデータ列におけるＬＭＢであるデータＳ７によって注目画素に関連する色領域を決定し、これに対応するカスレ補正ＲＯＭを選択し、残りの６画素分に相当するカラーコードデータ列を表５に示すカスレ補正パターンＳ１〜Ｓ６と比較する。ここで、６画素分に相当するカラーコードデータ列が表５に示すカスレ補正パターンＳ１〜Ｓ６と一致しなければ、カスレ補正手段２３６はそのまま色信号を切れ補正手段２３７及びＭＴＦ補正手段２３３に送出することになる。一方、６画素分に相当するカラーコードデータ列が表５に示すカスレ補正パターンＳ１〜Ｓ６と一致したならば、カスレ補正手段２３６は選択したカスレ補正ＲＯＭの記憶領域におけるアドレスを決め、当該アドレスに格納されたカラーコードを示すカラーコードデータに修正する。具体的には、カスレ補正手段２３６は、枠線色に挟まれた白が３画素以内のときに白を枠線色に補正するものであり、表８から表１０に示す１ドット用から３ドット用のカスレ補正パターンを主走査、副走査共に一致したときに白を枠線色に補正して色信号を切れ補正手段２３７及びＭＴＦ補正手段２３３に送出する。これにより、表５の補正結果に示すようにカラーコードを修正することによりカスレ補正することになる。
【０１３１】
切れ補正手段２３７は、カスレ補正手段２３６から送出される色信号中のカラーコード列と表１２に示すいずれか同一の切れ補正パターンを主走査、副走査共に一致するか否かを検出する。仮に一致していれば、枠線の幅が５ドット以上であることを条件に注目画素に対応する色信号中のカラーコードを枠線色に補正処理し、補正したカラーコードを領域検出手段２３８に送出する。これにより、枠線に接している線、文字を主走査方向、副走査方向に０．５ｍｍまで補正することになる。
【０１３２】
領域検出手段２３８は、切れ補正手段２３７から送出されるカラーコードにより枠線色の検知部分を『１』、その他の部分を『０』として読み込んで現ラインにおける領域区間を決定し、全ラインにおける領域区間に対して共通部分を持つ読み込み情報の最初の立ち上がりから最後の立ち下がりまでに対応する領域区間を『１』その他の区間を『０』とし、領域信号と読み込み情報との変換領域信号として信号抽出回路２３９に送出する。これらの処理動作を１ライン毎にリアルタイムに繰り返す。
【０１３３】
ＭＴＦ補正手段２３３は操作パネル２１０からのモード指定信号により表７に示す文字型原稿用又は表８に示す写真型原稿用の大きさ３×３のコンボリュージョン・フィルタを用いてマトリックス内の数値配列に等しい成分を濃度データから抽出して８ビットの色信号として信号抽出回路２３９に送出する。
【０１３４】
図８に示す枠線内外検出回路２３９Ａは、領域検出手段２３８から送出される領域信号ＲＱＮ，ＢＱＮにより、ＭＴＦ補正手段２３３から送出される色信号が特定マークを構成する枠線の内外のいずれにあるかを指示する内外信号をモードコントロール２３９Ｂに送出する。
【０１３５】
モードコントロール２３９Ｂは図７に示す操作パネル２１０から指示されるモード信号及び内外信号により枠線の内外いずれかから画素を抽出するかを指定する画素選択信号ＤＳＳを濃度データ検出回路２３９Ｃに送出する。
【０１３６】
濃度データ検出回路２３９Ｃは、画像選択信号ＤＳＳに基づいて選択された画素の濃度データ信号及びカラーコード信号を制御部２３０に送出するものであり、例えばＭＴＦ補正手段２３３から送出される画像信号のうちカラーコードをモードコントロール２３９Ｂ及び制御部２３０に出力し、濃度データ信号についてはバッファ２３９ＣＡ，２３９ＣＢを介して選択回路２３９ＣＣに入力する。選択回路２３９ＣＣは画素選択信号ＤＳＳにより選択的に濃度データを制御部２３０に送出する。このように画素選択信号ＤＳＳが枠線の内側を指定するものであれば、色分離テーブル２３１Ｂから送出される色信号を特定マークを構成する枠線の内側にある色信号を抽出して制御部２３０に送出する。又、画像選択信号が枠線の内外のいずれをも指定していなければ、信号抽出回路２３９は色信号を抽出せずにそのまま送出する。この色信号は説明の便宜上、非抽出色信号という。
【０１３７】
制御部２３０は、濃度データ検出回路２３９Ｃから送出される非抽出色信号と特定色領域データとを比較する。ここで一致しなければ、制御部２３０は第１カウンタＣＮＴ１をインクリメントしないが、一致したならば、制御部２３０は第１カウンタＣＮＴ１をインクリメントする。これにより、特定原稿に印された特定マークを構成するサンプリングデータ数を示す特定マーク度数データを第１カウンタＣＮＴ１に記憶保持することになる。
【０１３８】
又、制御部２３０は、濃度データ検出回路２３９Ｃから送出される抽出色信号と特定色領域データとを比較し、一致したときのみに第２カウンタＣＮＴ２をインクリメントする。これにより、特定マークを構成する枠線を除いた文字又は記号等を構成するドットの度数を第２カウンタＣＮＴ２に記憶保持することになる。
【０１３９】
制御部２３０は第２カウンタＣＮＴ２に保持されたカウント値と特定度数データとを比較手段ＣＭＰで比較し、一致したならば、原稿ＯＧは特定原稿であると識別することになる。このようにして、制御部２３０は特定マークを図９に示す色分離マップにおける色領域及び特定マークを構成するドッド数から原稿ＯＧと特定原稿を識別することができる。なお、前述の比較演算で一致しないならば、原稿ＯＧは特定原稿でないとする。
【０１４０】
本実施形態においては第２カウンタＣＮＴ２は特定マークのうち外枠を除いてサンプリングドット数をインクリメントしたがこれに限定されるものでなく、又、特定マークを構成する枠線を含めてサンプリングドット数をインクリメントするようにしても同様なことができる。
【０１４１】
上述したように本実施形態の画像再生装置２００は、特定原稿を識別するためのデータとして例えば図６に示す色分離マップにおける特定色領域データ及び特定マークを構成するドット数に関するデータのみしか備えないので、多数の特定原稿を登録したにも拘わらず複写機能の低下を防止できると共にカスレ補正手段２３６及び切れ補正手段２３７を備えたので、オペレータは特定原稿を作成する際に特定マークを不鮮明に押印した場合とか、或いはＭＴＦ特性の低下に起因する特定マークのカスレに影響されることなく確実に特定原稿の複写を防止する画像再生装置を提供することができる。
【０１４２】
なお、本実施形態の画像再生装置２００においてゴースト補正を行っていないが、これと併用すれば、ＣＣＤの取り付け精度、ＣＣＤの反り、曲がり及び経時変化に起因するＣＣＤ間の画素ずれ、赤、青倍率及びＭＴＦの不一致、レンズ色収差に起因する赤、青出力レベル差に起因するカラーゴーストに影響されることなく、確実に特定原稿を識別することができる。
【図面の簡単な説明】
【０１４３】
【図１】本願発明におけるデジタル画像再生装置における要部構成を示すブロック図である。
【図２】本願発明における画像再生装置に採用する色分離マップの概念図である。
【図３】発明の画像読取部ＡＡのプレスキャンにおける走査範囲を示す模式図である。
【図４】プレスキャンにより得られる代表的な濃度レベルの度数分布を示すグラフである。
【図５】本願発明における画像再生装置の一実施形態の要部構成を示すブロック図である。
【図６】本願発明における目的を達成する画像再生装置に採用する色分離マップの概念図である。
【図７】発明における目的を達成する画像再生装置における一実施形態の画像処理部の概略構成を示すブロック図である。
【図８】信号抽出回路の概略構成を示すブロック図である。
【図９】本願発明における目的を達成する画像再生装置に採用する色分離マップの概念図である。
【図１０】所謂ＫＮＣプロセスを採用するデジタル方式を採用する画像再生装置の概略構成を示す断面図である。
【符号の説明】
【０１４４】
２００  画像再生装置
２１０  操作パネル
２２０  像形成体
２２２ＢＫ  現像器
２２２Ｃ  現像器
２２２Ｍ  現像器
２２２Ｙ  現像器
２３０  制御部
２３１  色分離テーブル
２３１Ａ  色分離テーブル
２３１Ｂ  色分離テーブル
２３２  設定手段
２３３  ＭＴＦ補正手段
２３４  カラーゴースト検出手段
２３６  カスレ補正手段
２３７  切れ補正手段
２３８  領域検出手段
２３９  信号抽出回路
２３９Ａ  枠線内外検出回路
２３９Ｂ  モードコントロール
２３９Ｃ  濃度データ検出回路
ＡＡ  画像読取部
ＢＢ  画像処理部
ＣＣ  書込部
ＤＤ  像形成プロセス部
ＥＥ  給紙系
ＣＮＴ１  第１カウンタ
ＣＮＴ２  第２カウンタ
ＤＭ  ダイクロイックミラー
ＧＣ  ゴーストカウンタ
ＬＳ１  ラインセンサ
ＬＳ２  ラインセンサ
ＮＣ  濃度コードカウンタ
ＯＧ  原稿
ＰＧ  プラテンガラス
Ｓ  分配手段
【図１】
2006121763.tif 000016
【図２】
2006121763.tif 000017
【図３】
2006121763.tif 000018
【図４】
2006121763.tif 000019
【図５】
2006121763.tif 000020
【図６】
2006121763.tif 000021
【図７】
2006121763.tif 000022
【図８】
2006121763.tif 000023
【図９】
2006121763.tif 000024
【図１０】
2006121763.tif 000025